(57)【要約】【課題】作物の生育状況に関する情報から、処理部の処理条件を自動制御し、収穫効率を向上し得る、作業性および生産性を向上させた農作業機械を提供する。【解決手段】機体に配設した処理部ｗにより、処理対象に処理を施す農作業機械であって、処理部ｗは、制御部３５によって駆動制御し、処理対象に関わる情報ａ，ｂ，ｃ，ｄ，ｅを取得して、データベース化するとともに、データベースを管理、かつ提供する情報部３１，３１´を設け、制御部３５は、情報部３１，３１´からの情報に基づいて、処理部ｗの処理条件を設定する。【選択図】図８
2011077980.tif 000002
【特許請求の範囲】
【請求項１】
機体に配設した処理部により、処理対象に処理を施す農作業機械において、
前記処理部は、制御部によって駆動制御し、
前記処理対象に関わる情報を取得して、データベース化するとともに、前記データベースを管理、かつ提供する情報部を設け、
前記制御部は、前記情報部からの前記情報に基づいて、前記処理部の処理条件を設定することを特徴とする農作業機械。
【請求項２】
前記情報部は、機外に設置するとともに、前記制御部は、通信手段により前記情報部から情報を取得することを特徴とする、請求項１に記載の農作業機械。
【請求項３】
前記情報部は、前記機体に設置することを特徴とする、請求項１に記載の農作業機械。
【請求項４】
前記情報部は、前記データベースを更新可能とすることを特徴とする、請求項１に記載の農作業機械。
【請求項５】
前記農作業機械は、穀稈を刈り取る刈取部と、該刈取部で刈り取った穀稈を脱穀する脱穀部と、該脱穀部で脱穀した穀粒を選別する選別部とを備えるコンバインであることを特徴とする、請求項１に記載の農作業機械。
【発明の詳細な説明】
【技術分野】
【０００１】
本発明は、機体に配設した処理部により、処理対象に処理を施す農作業機械に関し、より詳細には、処理部は、制御部によって駆動制御し、処理対象に関わる情報を取得して、データベース化するとともに、データベースを管理、かつ提供する情報部を設け、制御部は、情報部からの情報に基づいて、処理部の処理条件を設定する農作業機械に関する。
【背景技術】
【０００２】
従来のコンバインなどの農作業機械の中には、例えば、その作動情報を、コンバイン側の記憶媒体に対して、現在より一定時間前までの情報を一時保存し、通信手段によってコンバインの所在位置とは別位置にあるサービスセンターのコンピュータに作動情報を伝え、コンバインにトラブルが発生した場合に、トラブル関連情報を通信手段によりにコンピュータへ送り、コンバインとコンピュータとの間を双方向通信させることにより、トラブル回復情報をユーザーに伝達する手段を設けることで、サービスセンターは、正常な過去と異常な現在とを対比させてコンバインの不具合の原因を解明し、ユーザーに対して迅速な対応ができるもの（特許文献１）がある。
【先行技術文献】
【特許文献】
【０００３】
【特許文献１】特開２００２−１９０８７１号公報
【発明の概要】
【発明が解決しようとする課題】
【０００４】
しかし、上記のような農作業機械は、製造メーカーからの出荷時点において、機体に備える、各処理部の処理条件（コンバインであれば、刈取部の引起し速度や、脱穀部の扱胴回転速度など）の制御仕様が固定されており、作業条件などによりそれら処理条件の設定を変更したい場合には、作業者が、機体に備える調整スイッチを操作することで、処理条件を若干調整できるものの、例えば、圃場の地域性や、品種の違い、気候条件などによって、作物は生育状況が異なることから、作業者は、その都度、それら生育状況に応じて効率的に作物を収穫できるように、各処理部の処理条件を設定変更しなければならず、設定操作の煩わしさや、人為的な設定ミスによる収穫量や収穫効率の低下など、作業性および生産性が悪いという問題があった。
そこで、この発明の目的は、作物の生育状況に関する情報から、処理部の処理条件を自動制御し、収穫効率を向上し得る、作業性および生産性を向上させた農作業機械を提供するものである。
【課題を解決するための手段】
【０００５】
このため、請求項１に記載の発明は、機体に配設した処理部により、処理対象に処理を施す農作業機械において、前記処理部は、制御部によって駆動制御し、前記処理対象に関わる情報を取得して、データベース化するとともに、前記データベースを管理、かつ提供する情報部を設け、前記制御部は、前記情報部からの前記情報に基づいて、前記処理部の処理条件を設定することを特徴とする。
【０００６】
請求項２に記載の発明は、請求項１に記載の農作業機械において、前記情報部は、機外に設置するとともに、前記制御部は、通信手段により前記情報部から情報を取得することを特徴とする。
【０００７】
請求項３に記載の発明は、請求項１に記載の農作業機械において、前記情報部は、前記機体に設置することを特徴とする。
【０００８】
請求項４に記載の発明は、請求項１に記載の農作業機械において、前記情報部は、前記データベースを更新可能とすることを特徴とする。
【０００９】
請求項５に記載の発明は、請求項１に記載の農作業機械において、前記農作業機械は、穀稈を刈り取る刈取部と、該刈取部で刈り取った穀稈を脱穀する脱穀部と、該脱穀部で脱穀した穀粒を選別する選別部とを備えるコンバインであることを特徴とする。
【発明の効果】
【００１０】
請求項１に記載の発明によれば、機体に配設した処理部により、処理対象に処理を施す農作業機械において、処理部は、制御部によって駆動制御し、処理対象に関わる情報を取得して、データベース化するとともに、データベースを管理、かつ提供する情報部を設け、制御部は、情報部からの情報に基づいて、処理部の処理条件を設定するので、コンバインなど農作業機械が作業を行う圃場の地域性や、天候状態、作物の品種および生育状況など処理対象の変化や状況に応じて、作業者が手動調整を行うことなく、機体の制御部が、刈取部や脱穀部など処理部を最適な処理条件に自動設定し、作物の収穫効率を向上させることができる。従って、作業性および生産性を向上させた農作業機械を提供することができる。
【００１１】
請求項２に記載の発明によれば、情報部は、機外に設置するとともに、制御部は、通信手段により情報部から情報を取得するので、どの地域の圃場に投入しても、通信手段によって、情報部に容易にアクセスが可能であるため、処理対象に関わる情報を簡単に取得することができる。従って、作業性および生産性を向上させた農作業機械を提供することができる。
【００１２】
請求項３に記載の発明によれば、情報部は、機体に設置するので、農作業機械の各機体に備える情報部の処理対象に関わる情報により、処理部を最適な処理条件に自動設定して、収穫効率を向上させることができる。特に、山間部など通信状態の悪い圃場では、通信によることなく、機体に備える情報部の情報により、処理部を最適な処理条件に自動設定することができる。従って、作業性および生産性を向上させた農作業機械を提供することができる。
【００１３】
請求項４に記載の発明によれば、情報部は、データベースを更新可能とするので、情報部は、常に処理対象に関わる最新の情報を有し、過去の情報と比較して、農作業機械の各機体の処理部を最適な処理条件に自動設定することができる。従って、作業性および生産性を向上させた農作業機械を提供することができる。
【００１４】
請求項５に記載の発明によれば、農作業機械は、穀稈を刈り取る刈取部と、この刈取部で刈り取った穀稈を脱穀する脱穀部と、この脱穀部で脱穀した穀粒を選別する選別部とを備えるコンバインであるので、処理部の設定箇所が多いコンバインの処理条件を作業者の手動調整によることなく、情報部からの処理対象に関わる情報によって容易に自動設定し、収穫物の収穫効率を向上させることができる。従って、作業性および生産性を向上させた農作業機械を提供することができる。
【図面の簡単な説明】
【００１５】
【図１】本発明に係るコンバインの一例を示した左側面図である。
【図２】コンバインの平面図である。
【図３】コンバインの右側面図である。
【図４】コンバインの正面図である。
【図５】情報部の構成図である。
【図６】情報部へ入力する、圃場に関する情報の一例を示す説明図である。
【図７】機体処理部における処理条件の制御ブロック図である。
【図８】通信手段により外部に設置した情報部の情報を機体側が取得する処理条件の自動制御システム図である。
【図９】機体側に情報部を実装した処理条件の自動制御システム図である。
【発明を実施するための形態】
【００１６】
本発明の実施例を図面に示しながら説明する。なお、本発明の実施形態は請求項記載の範囲内で任意に変更することができる。図１は本発明に係るコンバインの一例を示した左側面図、図２は同平面図、図３は同右側面図、図４は同正面図である。
【００１７】
まず、本発明における農作業機械の一例として示すコンバイン１は、図１〜４に示すように、トラックフレーム２の左右にクローラ式走行装置３Ｌ，３Ｒを支持し、該トラックフレーム２上に機体フレーム４を架設している。
【００１８】
そして、機体前部には、処理部ｗとしての刈取部１６が形成される。この刈取部１６には、圃場の未刈り穀稈を引き起こす穀稈引起装置２１や、未刈り穀稈の株元を切断する刈刃１７、穀稈を後述する脱穀部５へ搬送するフィードチェーン６などが備えられる。
【００１９】
さらに、その刈取部１６の後方には、丸型の操向ハンドル１８や運転席１９を配置したキャビン１１が設置される。そして、キャビン１１側方の機体フレーム４前部上には、刈取部１６を上下に回動自在に支持する載置台２０と、該載置台２０上の刈取部１６を、刈取フレーム２１を介して昇降させる油圧シリンダ２２とが備えられる。
【００２０】
さらに、キャビン１１の下方で、機体フレーム４前部には、エンジン２３が配置され、該エンジン２３からの動力により、クローラ式走行装置３Ｌ，３Ｒを駆動して走行するとともに、穀稈をコンバイン１の前方から刈取部１６で連続的に刈取って、脱穀部５で脱穀するように構成している。
【００２１】
そして、機体中央に配設される処理部ｗとしての脱穀部５には、穀稈を脱穀する扱胴７や、扱胴７の下方に落下した脱粒物を選別する揺動選別装置８と、この揺動選別装置８に選別風を供給する唐箕ファン２４と、扱胴７の後部から取出される排出物を再処理する処理胴２５などが設けられる。
【００２２】
そして、揺動選別装置８により選別された穀粒を、揚穀筒９を介して搬入する穀粒タンク１０が、キャビン１１後方に備えられる。さらに、穀粒タンク１０内の穀粒を機外に搬出する排出オーガ１３を機体上部に備え、機体後端には、排藁チェーン１４の終端を臨ませる排藁処理部１５が配置される。
【００２３】
次に、本願発明の特徴である処理部における処理条件の自動設定について詳述する。図５は情報部の構成図、図６は情報部へ入力する、圃場に関する情報の一例を示す説明図、図７は機体処理部における処理条件の制御ブロック図、図８は通信手段により外部に設置した情報部の情報を機体側が取得する処理条件の自動制御システム図、図９は機体側に情報部を実装した処理条件の自動制御システム図である。
【００２４】
大豆、トウモロコシ、麦、米など農作物は、地域により収穫物が異なるとともに、同じ米であっても、寒冷地や温暖地、もしくは土壌の違いにより収穫される品種が異なる。さらには、現在および過去の気象状態などによって、それら作物の生育状況も左右されることから、収穫の際には、このような特色に応じてコンバインなど農作業機械における脱穀条件などの処理条件を頻繁に設定変更する必要がある。
【００２５】
そこで、上述したような、農作業機械による処理対象（農作物の播種から収穫物まで）に関わる圃場における地域や気象、作物の品種や生育状況などの情報を取得して、データベース化するとともに、前記データベースを管理し、かつ農作業機械に提供する情報部３１が設けられる。以下、農作業機械として、コンバインを例に説明する。
【００２６】
まず、情報部３１は、図５に示すように、入力部３２と、情報コントローラ３３と、出力部３４とから構成されるもので、圃場に関する情報が入力部３２を介して情報コントローラ３３に格納される。
【００２７】
また、情報部３１は、後述するコンバイン１から離れた位置に有する機外の、例えば情報提供会社の情報センターＣ内などに設置される。
【００２８】
そして、情報センターＣは、圃場に関して得られた各情報を、情報センターＣの作業者が情報部３１に入力するが、この圃場に関する情報は、例えば図６に示すように、まず地域情報ａとして、各地方における、各県の各地域（中国地方の岡山県であれば、津山地域や、真庭地域、新見地域他などで、さらに町や村、あるいは各担い手の圃場ごとに設定してもよい）ごとに区分け設定される。
【００２９】
そして、情報部３１には、例えば、津山地域に関する詳細な情報として、その年における週単位あるいは月単位での天気や、気温、日照量、雨量、台風通過や地震、害虫発生数などの気候情報ｂが入力される。なお、これら気候情報ｂは、過去数年分の上記情報が、情報コントローラ３３に蓄積される。
【００３０】
また、情報部３１には、例えば、津山地域に関する農作物における、その年の生育情報ｃが入力されるとともに、過去数年分の作物の生育状況が、土壌の痩肥状態を示すものとして、情報コントローラ３３に蓄積される。なお、図中の例では、年ごとの生育状況を、良・並・悪などと表示したが、表示方法はこれに限定されず、例えば、月ごと（各年）に、パーセント表示や、穀稈の平均高さなどで表示してもよい。
【００３１】
次いで、情報部３１には、例えば、津山地域に関する作物情報ｄとして、米や麦など農作物の種類が入力されるとともに、米であれば、その品種情報ｅとして、コシヒカリやあけぼの、ヒノヒカリなどの品種が入力される。この品種情報ｅは、地域情報ａの例えば津山地域における各圃場に対応したものとされ、どの圃場にどの作物が栽培されているか詳細な情報を有することができる。
【００３２】
なお、圃場に関する各情報は、情報センターＣなどにおいて、上述した例に加え、他にも情報項目を適宜設定して入力し、データベース化されるとともに、それら入力情報を逐次更新させることができる。
【００３３】
次に、機体側における各処理部の処理条件制御は、例えば、図７に示すように、刈取部１６の穀稈引起装置２３や、フィードチェーン６、脱穀部５の扱胴７や、唐箕ファン２４などが機体に設置された制御部３５に接続される。
【００３４】
具体的には、上述した穀稈引起装置２３や、フィードチェーン６、扱胴７、唐箕ファン２４などを駆動するそれぞれ図示しない各モータが制御部３５に接続されることで、制御部３５の指示により、個別に各装置の処理条件を変更させることができる。
【００３５】
本願発明の農作業機械では、この制御部３５と、情報部３１とが連係される。つまり、例えば、情報センターＣ内などに設置された情報部３１の出力部３４には、図８に示すように、情報部３１側の通信部３６が接続されるとともに、コンバイン１の機体に設置された制御部３５に、機体側の通信部３７が接続される。
【００３６】
ここで、例えば、コンバイン１を用いて圃場で作物を収穫する際、通常収穫作業を行う圃場とは異なる地域の圃場で作業をする場合には、作業者が機体に備える不図示のスイッチなどを投入することで、制御部３５と、情報部３１との通信を開始させる。このとき、制御部３５は、機体に備える図示しないＧＰＳ（Global Positioning System）装置などにより検索した機体の現在位置を情報部３１に送信する。
【００３７】
そして、機体位置が例えば、岡山県津山地域の圃場であれば、当該地域の圃場に関する上述した各情報ａ，ｂ，ｃ，ｄ，ｅなどを制御部３５の要請により、情報部３１の情報コントローラ３３が制御部３５に通信手段を用いて供給する。
【００３８】
これら各情報ａ，ｂ，ｃ，ｄ，ｅなどにより、例えば、これまでの天気や、気温、日照量、雨量などの気候条件に恵まれ、成育状況が良い（比較的に穀稈量が多いとともに穀稈の高さが高く、籾量が多い）、あけぼの米などの情報が、情報部３１の情報コントローラ３３から制御部３５に伝達されると、制御部３５は、図９に示すように、例えば、刈取部１６における穀稈引起装置２３やフィードチェーン６などを駆動する図示しないモータの出力を通常よりも上げ、これら穀稈引起装置２３やフィードチェーン６などの駆動速度を上昇させる。
【００３９】
さらに、制御部３５は、脱穀部５における扱胴７や唐箕ファン２４などを駆動する図示しないモータの出力を通常よりも上げ、これら扱胴７の回転速度や唐箕ファン２４の風量などを上昇させる。
【００４０】
このような構成にすることで、穀稈高さが高く、籾量の多さにより稲穂が大きく垂れた成育状況の良い稲を、コンバイン１の刈取部１６における穀稈引起装置２３で迅速に引き起こすとともに、刈刃１７による刈取後の穀稈をフィードチェーン６により脱穀部５に迅速に搬送させることができる。
【００４１】
さらには、脱穀部５において、それら穀稈の穂先を扱胴７で迅速に脱穀するとともに、扱胴７下方の揺動選別装置８に落下した多量の脱粒物を、唐箕ファン２４の比較的に強い風量で迅速に籾と異物とに選別させることができる。
【００４２】
従って、コンバイン１などによる圃場の地域性や、天候状態、作物の品種および生育状況など処理対象の変化や状況に応じて、作業者が手動調整を行うことなく、機体の制御部３５が、刈取部１６や脱穀部５など処理部ｗを最適な処理条件に自動設定し、作物の収穫効率を向上させることができる。
【００４３】
なお、上述とは反対に、情報部３１が、各情報ａ，ｂ，ｃ，ｄ，ｅなどとして、例えば、これまで天候に恵まれず、低温多雨で、日照量が少ないなど、成育状況がやや悪い（比較的に穀稈の高さが低く、籾量が少ない）あけぼの米などの情報を有していれば、コンバイン１側の要請により、情報部３１の情報コントローラ３３から制御部３５にそれら情報が伝達されると、制御部３５は、刈取部１６における穀稈引起装置２３やフィードチェーン６などを駆動する図示しないモータの出力を通常よりも下げ、これら穀稈引起装置２３やフィードチェーン６などの駆動速度を抑える。
【００４４】
さらに制御部３５は、脱穀部５における扱胴７や唐箕ファン２４などを駆動する図示しないモータの出力を下げ、これら扱胴７の回転速度や唐箕ファン２４の風量などを抑える。
【００４５】
このように作用させることで、比較的に穀稈量が少ないとともに穀稈高さが低く、籾量が少ないために稲穂があまり垂れず、穀稈全体があまり倒れていない成育状況がやや悪い稲は、コンバイン１の刈取部１６における穀稈引起装置２３により適度に引き起こすとともに、刈刃１７による刈取後の穀稈をフィードチェーン６により脱穀部５に比較的ゆっくりと搬送する。
【００４６】
さらに、脱穀部５において、それら穀稈の穂先を扱胴７でゆっくりと脱穀するとともに、扱胴７下方の揺動選別装置８に落下した、比較的少量の脱粒物を、唐箕ファン２４の比較的に弱い風量で、籾を飛散除去させることなく、籾と異物とに確実に選別することができるため、このような成育状況がやや悪い作物でも、情報部３１からの情報により処理部ｗを最適な処理条件に迅速に自動設定されることで、効率的に収穫処理を行い、収穫率を向上させることができる。
【００４７】
また、コンバイン１などは、どの地域の圃場に投入しても、通信手段によって、情報部３１に容易にアクセスが可能であるため、処理対象に関わる情報を簡単に取得することができる。
【００４８】
そして、この情報部３１は、圃場の地域性や、天候状態、作物の品種や生育状況など処理対象に関わる様々な情報を一元的に有するとともに、常に最新の情報としてデータベースを更新し、コンバイン１などに容易に情報提供できることから、農作業機械による作物の収穫効率を迅速かつ効率的に向上させることができる。
【００４９】
また、上述のように処理対象に関わる情報ａ，ｂ，ｃ，ｄ，ｅは、圃場の地域や天候状態および作物の品種や生育状況とするので、作物の生育状態を左右する要因を情報としてコンバイン１に提供することにより、コンバイン１は、作物の収穫効率を上昇させるために自動設定された最適な処理条件で稼動することができる。
【００５０】
さらに、農作業機械は、処理部ｗの設定箇所が多いコンバイン１であるため、処理条件は、作業者の手動調整によることなく、情報部３１からの処理対象に関わる情報によって容易に自動設定される結果、作物の収穫効率を向上させることができる。
【００５１】
なお、上述では、コンバイン１の制御部３５に、穀稈引起装置２３やフィードチェーン６、扱胴７、唐箕ファン２４などを接続したが、その他機体の処理装置を接続し、適宜処理条件を自動設定させることができる。
【００５２】
上述では、情報部３１を、コンバイン１の機体から離れた、情報センターＣ内などに設置し、情報部３１と、機体の制御部３５とを通信手段により送受信させて連係したが、情報部３１は、コンバイン１の機体に設置させることもできる。
【００５３】
この場合、例えば、機体の適宜位置に設置した情報部３１´と、制御部３５とを有線または通信により連係し、情報部３１´の情報コントローラ３３への処理対象に関わる情報ａ，ｂ，ｃ，ｄ，ｅなどは、情報提供会社あるいは担い手などの作業者が、逐次入力してデータベース化することで、情報部３１´は常に最新の処理対象に関わる情報を有し、処理部ｗの処理条件を迅速に自動設定することができる。
【００５４】
さらに、情報部３１´の情報コントローラ３３´への処理対象に関わる情報は、情報提供会社においてデータベースを作成・更新し、それらデータベース化された情報を、ＣＤ−ＲＯＭやフラッシュメモリーなどの記憶媒体で機体に設置した情報部３１´に逐次ダウンロードさせてもよい。
【００５５】
なお、上述した、情報部３１，３１´の処理対象に関わる情報から処理部ｗの処理条件を自動設定する農作業機械を、コンバイン１を例に説明したが、この発明ではコンバイン１に限定されず、例えば、圃場に肥料や除草剤などを散布する農業用無人ヘリコプタでは、処理対象に関わる情報により、それら肥料や除草剤などの散布量を自動設定して、圃場の状態に応じた適切な散布量にすることができる。
【００５６】
また、トラクタでは、処理対象に関わる情報により、耕耘機などを圃場の状態に応じて適切な耕耘深さに自動設定させたり、田植機においても処理対象に関わる情報により、圃場の状態に応じて適切な苗の植付間隔や植付数などを自動設定でき、作物を効率的に生産することができる。
【００５７】
以上詳述したように、この例のコンバイン１は、機体に配設した処理部ｗにより、処理対象に処理を施す農作業機械であって、処理部ｗは、制御部３５によって駆動制御し、処理対象に関わる情報ａ，ｂ，ｃ，ｄ，ｅを取得して、データベース化するとともに、データベースを管理、かつ提供する情報部３１，３１´を設け、制御部３５は、情報部３１，３１´からの情報に基づいて、処理部ｗの処理条件を設定するものである。
【００５８】
加えて、農作業機械の処理部ｗの処理条件を設定する制御部３５に、処理対象に関わる情報ａ，ｂ，ｃ，ｄ，ｅを提供する情報部３１，３１´は、処理対象に関わる情報ａ，ｂ，ｃ，ｄ，ｅを取得して、データベース化するとともに、データベースを管理、かつ農作業機械からの要請に応じて情報を提供するものである。
【産業上の利用可能性】
【００５９】
なお、この発明は、処理対象に関わる情報を提供する情報部に連係可能な、処理部の処理条件を設定する制御部を機体に備える、あらゆる作業機械に適用することができる。
【符号の説明】
【００６０】
１    コンバイン
６    フィードチェーン
７    扱胴
２３    穀稈引起装置
２４    唐箕ファン
３１，３１´    情報部
３２    入力部
３３    情報コントローラ
３４    出力部
３５    制御部
３６，３７    通信部
Ｃ    情報センター
ａ，ｂ，ｃ，ｄ，ｅ    処理対象に関わる情報
ｗ    処理部
【図１】
2011077980.tif 000003
【図２】
2011077980.tif 000004
【図３】
2011077980.tif 000005
【図４】
2011077980.tif 000006
【図５】
2011077980.tif 000007
【図６】
2011077980.tif 000008
【図７】
2011077980.tif 000009
【図８】
2011077980.tif 000010
【図９】
2011077980.tif 000011